(57)【特許請求の範囲】
【請求項１】
弁体がスプリングの付勢力に抗して移動することにより、流路を開放し、ねじ杆を回動させることにより、前記弁体の移動長を調整する逆止制水弁において、
前記ねじ杆のねじ部をハウジングの中に位置させるとともに、前記ねじ杆の突出部を前記ハウジングの外に位置させて、その位置で前記ハウジングからの突出長を変化させずに回転するように前記ねじ杆を前記ハウジングに支持させ、
前記弁体を、前記ねじ部が挿入される弁筒を有する構成とし、
前記ねじ部に螺合し、前記弁筒の移動長を調整する駆動環を設け、
前記ねじ杆の回転によって前記駆動環が前記ねじ杆とともに回転するのを阻止する阻止部材を設け、
前記ねじ部の先端に、前記弁筒との間に所定のクリアランスを有し、前記ねじ部よりも大径な案内部を設けた、
ことを特徴とする逆止制水弁。
【請求項２】
請求項１に記載の逆止制水弁において、
前記弁体が前記ねじ杆に衝合するのを防止する緩衝材を設けた、
ことを特徴とする逆止制水弁。
【請求項３】
請求項１または請求項２に記載の逆止制水弁において、
前記弁体が前記駆動環に衝合するのを防止する緩衝材を設けた、
ことを特徴とする逆止制水弁。
【発明の詳細な説明】
【０００１】
【発明の属する技術分野】
この発明は、流路の流出口側から流入口側へ流体が逆流するのを防止するとともに、流入口側から流出口側への流体の流れを止めることのできる逆止制水弁に関するものである。
【０００２】
【従来の技術】
一般的に、給水配管中には、給水本管側から給水支管側へのみ給水するように、流入口側を給水本管に接続し、流出口側を給水支管に接続するとともに、流入口側から流出口側への給水を止めることのできる逆止制水弁が配設される。
上述した逆止制水弁は、ハウジングに螺合するねじ杆を回転させてハウジングから突出するねじ杆の長さを変化させることにより、弁体の移動長を調整して逆止弁となったり、制水弁となる構成とされている。
なお、上記した構成の逆止制水弁は、例えば実公昭６２−４６９２５号公報、特公平７−２５１９号公報に開示されている。
【０００３】
【発明が解決しようとする課題】
従来の逆止制水弁は、ハウジングから突出するねじ杆の長さを変化させることにより、弁体の移動長を調整する構成とされているので、弁体の移動長を最小、すなわちゼロにすると、ハウジングから突出するねじ杆の長さが最小になる。
そして、弁体の移動長を最大にすると、ハウジングから突出するねじ杆の長さは最大になる。
【０００４】
したがって、ねじ杆の移動ストロークが確保できなければ、逆止制水弁を配設することができなくなる。
また、ねじ杆の移動ストロークを確保しなければならないので、逆止制水弁を配設するために余分なスペースが必要となり、スペースを有効に利用することができないなどの不都合があった。
【０００５】
この発明は、上記したような不都合を解消するためになされたもので、配設スペースが少なく、スペースを有効に利用することのできる逆止制水弁を提供するものである。
【０００６】
【課題を解決するための手段】
この発明は、弁体がスプリングの付勢力に抗して移動することにより、流路を開放し、ねじ杆を回動させることにより、弁体の移動長を調整する逆止制水弁において、ねじ杆のねじ部をハウジングの中に位置させるとともに、ねじ杆の突出部をハウジングの外に位置させて、その位置でハウジングからの突出長を変化させずに回転するようにねじ杆をハウジングに支持させ、弁体を、ねじ部が挿入される弁筒を有する構成とし、ねじ部に螺合し、弁筒の移動長を調整する駆動環を設け、ねじ杆の回転によって駆動環がねじ杆とともに回転するのを阻止する阻止部材を設け、ねじ部の先端に、弁筒との間に所定のクリアランスを有し、ねじ部よりも大径な案内部を設けたものである。
そして、弁体がねじ杆に衝合するのを防止する緩衝材を設けたり、弁体が駆動環に衝合するのを防止する緩衝材を設けるのが望ましい。
【０００７】
【発明の実施の形態】
以下、この発明などについて説明する。
図１、図２および図３はこの発明にかかる逆止制水弁の構成を示す断面図であり、図１および図２は逆止弁の状態を示し、図３は制水弁の状態を示している。
【０００８】
これらの図において、１はハウジングを構成するハウジング本体を示し、流入口２と、この流入口２と直交する方向に開口し、互いに連通するとともに、流入口２に連通した２つの流出口３，４と、流入口２の延長線上に位置する開口５とが設けられている。
そして、流入口２を設けた外周端に取付用のフランジ２ｆが設けられ、各流出口３，４を設けた外周端部に雄ねじ３ｅ，４ｅが形成され、開口５を形成する内壁に雌ねじ５ｉが形成されている。
【０００９】
１１はハウジングを構成する蓋体を示し、ハウジング本体１の開口５を閉塞するものであり、雌ねじ５ｉに螺合する雄ねじ１２が形成され、中心に貫通孔１３が設けられるとともに、貫通孔１３の周囲に位置する細径部分の外周端部に雄ねじ１４が形成されている。
２１はパッキンを示し、ハウジング本体１と蓋体１１との間を水密に封止するためのものである。
【００１０】
３１はねじ杆を示し、外周に雄ねじが形成されたねじ部３２と、このねじ部３２に連なり、蓋体１１の貫通孔１３に、回動可動に嵌合する嵌合部３３と、この嵌合部３３に連なり、蓋体１１から突出する突出部３４とで構成されている。
そして、突出部３４には、蓋体１１、後述する袋ナット４１をねじ部３２とで挟持するＥリングと称されるような止め輪４２を係止させる周回した溝３４ｄと、平断面の外周が方形となる面を有する把持部分３４ｇとが形成されている。
なお、嵌合部３３の軸径はねじ部３２の軸径よりも小さく、突出部３４の軸径は、嵌合部３３の軸径と同径もしくはそれ以下とされている。
【００１１】
４１は蓋体１１の雄ねじ１４に螺合する袋ナットを示し、ねじ杆３１が貫通する孔が設けられている。
４３はパッキンを示し、蓋体１１とねじ杆３１との間を水密に封止するためのものである。
５１はねじ杆３１のねじ部３２が螺合する駆動環を示し、外周の半径方向に起立する衝合ピン５２が植設されている。
６１は蓋体１１に植設された阻止部材としてのストッパピンを示し、衝合ピン５２に衝合して駆動環５１の回転を阻止するものである。
【００１２】
７１は弁体を示し、ハウジング本体１の流入口２を内側から開閉する弁パッキン７２と、この弁パッキン７２を載置するフランジ７３ｆが設けられ、弁パッキン７２をフランジ７３ｆとで挟む位置関係に、弁パッキン７２を貫通した端部外周に雄ねじ７３ｅが形成され、ねじ杆３１のねじ部３２が挿通される弁筒７３と、弁パッキン７２をフランジ７３ｆとで挟持するように弁筒７３が挿通される座金７４と、弁筒７３の雄ねじ７３ｅに螺合し、フランジ７３ｆに弁パッキン７２を固定するとともに、弁筒７３の一端を閉塞するキャップ７５とで構成されている。
なお、フランジ７３ｆの上下の外縁に、連続的または断続的に周回する突条７３ｒｕ，７３ｒｄが設けられている。
【００１３】
８１はコイルスプリングを示し、ねじ杆３１のねじ部３２、弁体７１の弁筒７３の周囲で、蓋体１１とフランジ７３ｆとの間に装填され、弁パッキン７２でハウジング本体１の流入口２を閉塞するように弁体７１を付勢するものである。
【００１４】
次に、各部の組立について説明する。
まず、弁体７１の組立について説明すると、弁パッキン７２に弁筒７３を挿通して突条７３ｒｕの内側のフランジ７３ｆに弁パッキン７２を載置する。
そして、座金７４に弁筒７３を挿通して弁パッキン７２上に座金７４を載置した後、雄ねじ７３ｅにキャップ７５を螺合させて締め付けることにより、フランジ７３ｆに弁パッキン７２を固定でき、弁体７１の組立が完了する。
【００１５】
次に、ねじ杆３１の蓋体１１への取付について説明すると、ストッパピン６１を植設した蓋体１１の貫通孔１３に、ねじ部３２に駆動環５１を螺合させたねじ杆３１の嵌合部３３を嵌通し、嵌合部３３の周囲に環状のパッキン４３を位置させた後、袋ナット４１を蓋体１１の雄ねじ１４に螺合させる。
そして、袋ナット４１から突出した突出部３４の溝３４ｄに止め輪４２を係止させることにより、ねじ杆３１の蓋体１１への取付が完了する。
【００１６】
次に、弁体７１のハウジング本体１への組み込みについて説明すると、流入口２を下側に位置させるとともに、開口５を上側に位置させた状態のハウジング本体１の開口５から弁パッキン７２側を下側にして弁体７１をハウジング本体１内へ挿入し、弁パッキン７２で流入口２を閉成させ、弁筒７３を開口５の中心に位置させる。
そして、コイルスプリング８１を開口５内へ挿入し、突条７３ｒｄの内側にコイルスプリング８１の外周を位置させる。
【００１７】
次に、ねじ杆３１の把持部分３４ｇを回動させて駆動環５１を蓋体１１に当接させた後、ハウジング本体１と蓋体１１との間に環状のパッキン２１を位置させ、ねじ部３２を弁筒７３へ挿入した後、蓋体１１を回転させ、雌ねじ５ｉに雄ねじ１２を螺合させて開口５を蓋体１１で閉塞することにより、図１に示すように、逆止制水弁の組立が完了する。
【００１８】
次に、動作について説明する。
まず、図１に示す逆止弁の状態において、ハウジング本体１の流入口２にポンプなどで所定圧力に加圧された水が供給されると、水の圧力によってコイルスプリング８１が縮小し、弁体７１の弁筒７３がねじ杆３１のねじ部３２で案内されて蓋体１１側へ後退することにより、弁パッキン７２がハウジング本体１の内面から離れるので、図２に示すように、弁体７１は流入口２を開放する。
したがって、水は流入口２から流出口３，４へと流れる。
【００１９】
次に、図２に示す状態において、水の使用がなくなり、流出口３，４側の水圧が流入口２側の水圧と同水圧以上になると、コイルスプリング８１の付勢力によって弁筒７３がねじ部３２で案内されて流入口２側へ前進することにより、図１に示すように、弁パッキン７２がハウジング本体１の内面に圧接して流入口２を閉塞するので、流出口３，４側から流入口２側へ水が逆流しなくなる。
したがって、水の逆流を防止することができる。
【００２０】
次に、制水弁とする操作について説明する。
まず、図１または図２に示す逆止弁の状態において、把持部分３４ｇを工具もしくはハンドルで把持してねじ杆３１を回転させると、駆動環５１はねじ杆３１とともに回転するが、衝合ピン５２がストッパピン６１に衝合することにより、駆動環５１はストッパピン６１によって回転を阻止される。
したがって、さらにねじ杆３１を回転させると、衝合ピン５２がストッパピン６１を摺接するので、駆動環５１は回転を阻止された状態でねじ杆３１の軸方向、すなわち流入口２側へ移動し、図３に示すように、弁パッキン７２で流入口２を内側から閉塞するので、流入口２からの流入量をゼロとすることができる。
【００２１】
なお、ねじ杆３１を回転させ、駆動環５１を図１または図２の位置と図３の位置との間の任意の位置に位置させることにより、すなわち弁体７１の移動長を調整することにより、流入口２からの流入量を調整することができる。
【００２２】
上述したように、この逆止制水弁によれば、ねじ杆３１を回転させても、ねじ杆３１はその位置でハウジングからの突出長を変化させずに回転できるように支持されているので、逆止弁とした状態と、弁体７１の移動量をゼロとした制水弁とした状態とで、ねじ杆３１のハウジングからの突出長が変化しなくなる、すなわちねじ杆３１の移動ストロークがゼロになる。
したがって、逆止制水弁の配設スペースが少なくなり、スペースを有効に利用することができる。
【００２３】
図４はこの発明にかかる逆止制水弁に用いる駆動環の他の例を示す斜視図である。
図４において、５１Ａはねじ杆３１のねじ部３２が螺合する駆動環を示し、ねじ杆３１が螺合するねじ孔の外周に、軸方向にストッパピン６１が挿通される挿通孔５３が設けられている。
【００２４】
図４に示すように駆動杆５１Ａを構成すると、ねじ杆３１を回転させることによって直ちに駆動杆５１Ａが移動し始めるので、流量を調整する場合、弁体７１を応答性よく移動させることができる。
【００２５】
図５はこの発明の逆止制水弁の第１実施形態を示す断面図、図６は図５に示したねじ杆の先端部分およびコイルスプリングを示す拡大部分であり、図１〜図４と同一または相当部分に同一符号を付して説明する。
これらの図において、３１Ａはねじ杆を示し、外周に雄ねじが形成されたねじ部３２と、このねじ部３２に連なり、蓋体１１の貫通孔１３に、回動可動に嵌合する嵌合部３３と、この嵌合部３３に連なり、蓋体１１から突出する突出部３４と、ねじ部３２の先端に連なり、弁筒７３との間に、例えば０．１ｍｍ位のクリアランスを有し、ねじ部３２よりも大径な案内部３５Ａとで構成されている。
【００２６】
そして、突出部３４には、止め輪４２を係止させる周回した溝３４ｄと、平断面の外周が方形となる面を有する把持部分３４ｇとが形成されている。
また、案内部３５Ａの先端には、キャップ７５が衝合するのを防止するコイルスプリング９１を取り付ける取付凹部３５ａが設けられている。
なお、嵌合部３３の軸径はねじ部３２の軸径よりも小さく、突出部３４の軸径は、嵌合部３３の軸径と同径もしくはそれ以下とされている。
【００２７】
次に、組立および動作について、図１〜図３の逆止制水弁と異なる点を説明する。
まず、組立について説明すると、コイルスプリング９１の一端を取付凹部３５ａへ圧入させてコイルスプリング９１を案内部３５Ａの先端に取り付ける点が相違し、他は図１〜図３の逆止制水弁と同様に組み立てることができる。
【００２８】
次に、動作について説明すると、駆動環５１を蓋体１１に当接させた状態で、弁体７１が蓋体１１側へ後退して流入口２を完全に開放する場合、キャップ７５がねじ杆３１Ａに衝合するのをコイルスプリング９１によって防止され、弁筒７３が駆動環５１に衝合するのをコイルスプリング９１によって緩衝される。
また、弁体７１がねじ杆３１Ａの軸方向へ移動する場合、ねじ部３２よりも大径な案内部３５Ａで弁筒７３が案内され、弁筒７３がねじ部３２に接触しなくなる。
【００２９】
上述したように、この発明の第１実施形態によれば、図１〜図３の逆止制水弁と同様な効果を得ることができる。
そして、案内部３５Ａとキャップ７５との間にコイルスプリング９１を配設したので、キャップ７５がねじ杆３１Ａに衝合するのをコイルスプリング９１によって防止され、弁筒７３が駆動環５１に衝合するのをコイルスプリング９１によって緩衝され、ねじ杆３１Ａとキャップ７５との衝合音、駆動環５１と弁筒７３との衝合音が発生するのを防止することができるとともに、ねじ杆３１Ａ、駆動環５１、弁筒７３およびキャップ７５の寿命を延ばすことができる。
【００３０】
また、ねじ部３２よりも大径とした案内部３５Ａで弁体７１を案内するので、弁体７１がねじ部３２に接触しなくなるため、ねじ部３２のねじが損傷しなくなり、上下動する弁体７１の移動がスムーズになるとともに、ねじ部３２と弁体７１とが擦れる際の騒音が発生しなくなる。
【００３１】
図７はこの発明の逆止制水弁の第２実施形態に用いるねじ杆の先端部分およびゴムクッションを示す拡大部分であり、図１〜図６と同一または相当部分に同一符号を付して説明する。
図７において、３１Ｂはねじ杆を示し、外周に雄ねじが形成されたねじ部３２と、このねじ部３２に連なる嵌合部３３と、この嵌合部３３に連なる突出部３４と、ねじ部３２の先端に連なり、弁筒７３との間に、例えば０．１ｍｍ位のクリアランスを有し、ねじ部３２よりも大径な案内部３５Ｂとで構成されている。
【００３２】
そして、案内部３５Ｂの先端には、キャップ７５が衝合するのを防止するゴムクッション９２を取り付ける取付凹部３５ｂが設けられている。
なお、嵌合部３３の軸径はねじ部３２の軸径よりも小さく、突出部３４の軸径は、嵌合部３３の軸径と同径もしくはそれ以下とされている。
そして、突出部３４には、溝３４ｄおよび把持部分３４ｇが形成されている。
【００３３】
次に、組立および動作について、図１〜図３の逆止制水弁と異なる点を説明する。
まず、組立について説明すると、ゴムクッション９２の一端を取付凹部３５ｂへ圧入させてゴムクッション９２を案内部３５Ｂの先端に取り付ける点が相違し、他は図１〜図３の逆止制水弁と同様に組み立てることができる。
【００３４】
次に、動作について説明すると、駆動環５１を蓋体１１に当接させた状態で、弁体７１が蓋体１１側へ後退して流入口２を完全に開放する場合、キャップ７５がねじ杆３１Ｂに衝合するのをゴムクッション９２によって防止され、弁筒７３が駆動環５１に衝合するのをコイルスプリング９２によって緩衝される。
また、弁体７１がねじ杆３１Ｂの軸方向へ移動する場合、ねじ部３２よりも大径な案内部３５Ｂで弁筒７３が案内され、弁筒７３がねじ部３２に接触しなくなる。
【００３５】
上述したように、この発明の第２実施形態によれば、第１実施形態と同様な効果を得ることができる。
【００３６】
図８はこの発明の逆止制水弁の第３実施形態に用いるねじ杆の先端部分、キャップおよびゴム玉クッションを示す拡大部分であり、図１〜図７と同一または相当部分に同一符号を付して説明する。
図８において、３１Ｃはねじ杆を示し、外周に雄ねじが形成されたねじ部３２と、このねじ部３２に連なる嵌合部３３と、この嵌合部３３に連なる突出部３４と、ねじ部３２の先端に連なり、弁筒７３との間に、例えば０．１ｍｍ位のクリアランスを有し、ねじ部３２よりも大径な案内部３５Ｃとで構成されている。
【００３７】
そして、案内部３５Ｃの先端は、中心を高くした球面状とされている。
なお、嵌合部３３の軸径はねじ部３２の軸径よりも小さく、突出部３４の軸径は、嵌合部３３の軸径と同径もしくはそれ以下とされている。
そして、突出部３４には、溝３４ｄおよび把持部分３４ｇが形成されている。
【００３８】
７１Ａは弁体を示し、この弁体７１Ａを構成するキャップ７５Ａの、案内部３５Ｃの先端と対向する内面には、キャップ７５Ａがねじ杆３１Ｃに衝合するのを防止するゴム玉クッション９３を取り付ける取付凹部７５ａが設けられている。
【００３９】
次に、組立および動作について、図１〜図３の逆止制水弁と異なる点を説明する。
まず、組立について説明すると、ゴム玉クッション９３を取付凹部７５ａへ圧入させてゴム玉クッション９３をキャップ７５Ａに取り付ける点が相違し、他は図１〜図３の逆止制水弁と同様に組み立てることができる。
【００４０】
次に、動作について説明すると、駆動環５１を蓋体１１に当接させた状態で、弁体７１Ａが蓋体１１側へ後退して流入口２を完全に開放する場合、キャップ７５Ａがねじ杆３１Ｃに衝合するのをゴム玉クッション９３によって防止され、弁筒７３が駆動環５１に衝合するのをゴム玉クッション９３によって緩衝される。
また、弁体７１Ａがねじ杆３１Ｃの軸方向へ移動する場合、ねじ部３２よりも大径な案内部３５Ｃで弁筒７３が案内され、弁筒７３がねじ部３２に接触しなくなる。
【００４１】
上述したように、この発明の第３実施形態によれば、第１実施形態と同様な効果を得ることができる。
【００４２】
図９はこの発明の逆止制水弁の第４実施形態を示す断面図であり、図１〜図８と同一または相当部分に同一符号を付して説明する。
図９において、９４は駆動環５１と弁筒７３との間に配設されたコイルスプリングを示し、キャップ７５が案内部３１Ｃに衝合し、弁筒７３が駆動環５１に衝合するのを防止するためのものである。
【００４３】
次に、組立および動作について、図１〜図３の逆止制水弁と異なる点を説明する。
まず、組立について説明すると、コイルスプリング９４を駆動環５１と弁筒７３との間に配設する点が相違し、他は図１〜図３の逆止制水弁と同様に組み立てることができる。
【００４４】
次に、動作について説明すると、駆動環５１を蓋体１１に当接させた状態で、弁体７１が蓋体１１側へ後退して流入口２を完全に開放する場合、キャップ７５がねじ杆３１Ｃに衝合するのをコイルスプリング９４によって防止され、弁筒７３が駆動環５１に衝合するのをコイルスプリング９４によって防止される。
また、弁体７１がねじ杆３１Ｃの軸方向へ移動する場合、ねじ部３２よりも大径な案内部３５Ｃで弁筒７３が案内され、弁筒７３がねじ部３２に接触しなくなる。
【００４５】
上述したように、この発明の第４実施形態によれば、第１実施形態と同様な効果を得ることができる。
【００４６】
図１０はこの発明の逆止制水弁の第５実施形態を示す断面図であり、図１〜図９と同一または相当部分に同一符号を付して説明する。
図１０において、５１Ｂはねじ杆３１Ｃのねじ部３２が螺合する駆動環を示し、弁筒７３が対接する面には、キャップ７５が案内部３１Ｃに衝合し、弁筒７３が駆動環５１Ｂに衝合するのを防止するゴムクッションリング９５を取り付ける取付凹部５１ｂが設けられている。
【００４７】
次に、組立および動作について、図１〜図３の逆止制水弁と異なる点を説明する。
まず、組立について説明すると、ゴムクッションリング９５を取付凹部５１ｂへ圧入させてゴムクッションリング９５を駆動環５１Ｂに取り付ける点が相違し、他は図１〜図３の逆止制水弁と同様に組み立てることができる。
【００４８】
次に、動作について説明すると、駆動環５１Ｂを蓋体１１に当接させた状態で、弁体７１が蓋体１１側へ後退して流入口２を完全に開放する場合、キャップ７５がねじ杆３１Ｃに衝合するのをゴムクッションリング９５によって防止され、弁筒７３が駆動環５１に衝合するのをゴムクッションリング９５によって防止される。
また、弁体７１がねじ杆３１Ｃの軸方向へ移動する場合、ねじ部３２よりも大径な案内部３５Ｃで弁筒７３が案内され、弁筒７３がねじ部３２に接触しなくなる。
【００４９】
上述したように、この発明の第５実施形態によれば、第１実施形態と同様な効果を得ることができる。
【００５０】
図１１は逆止制水弁を利用した給水システムの概略構成を示す平面図である。
【００５１】
このような給水システムは、各機器同士を接近させた状態で狭いスペースに設置されるので、移動ストロークがゼロのねじ杆３１を備えた逆止制水弁ＶＯ1 ，ＶＯ2 を使用することにより、配設スペースが少なくなり、スペースを有効に利用することができる。
【００５２】
なお、上記した実施形態では、２つの流入口３，４としたが、少なくとも１つ流出口が設けられていればよい。
そして、ねじ杆３１Ａ〜３１Ｄの突出部３４に把持部分３４ｇを設けたが、この把持部分３４ｇにハンドルを取り付けてもよい。
また、キャップ７５，７５Ａがねじ杆３１Ａ，３１Ｂまたは３１Ｃに当接するとき、弁筒７３が駆動杆５１，５１Ａまたは５１Ｂに当接するものにコイルスプリング９１，９４、ゴムクッション９２、ゴム玉クッション９３またはゴムクッションリング９５の緩衝材を設けたが、ねじ杆とキャップとが衝合するのを防止する緩衝材と、駆動杆と弁筒とが衝合するのを防止する緩衝材とはそれぞれ設けるのが望ましいが、駆動環を蓋体に当接させた状態で、弁筒が駆動杆に当接し、キャップがねじ杆に当接しなければ、駆動杆と弁筒とが衝合するのを防止する緩衝材のみを設ければよい。
【００５３】
【発明の効果】
以上のように、この発明によれば、ねじ杆を回転させても、ねじ杆はその位置でハウジングからの突出長を変化させずに回転できるように支持されているので、逆止弁とした状態と、弁体の移動量をゼロとした制水弁とした状態とで、ねじ杆のハウジングからの突出長が変化しなくなる、すなわちねじ杆の移動ストロークがゼロになる。
したがって、逆止制水弁の配設スペースが少なくなり、スペースを有効に利用することができる。
【００５４】
また、ねじ部の先端に、ねじ部よりも大径の案内部を設けたので、弁体をねじ部に接触しないように案内部で案内することにより、弁体がねじ部に接触しなくなることによってねじ部のねじが損傷しなくなり、上下動する弁体の移動がスムーズになるとともに、ねじ部と弁体とが擦れる際の騒音が発生しなくなる。
【００５５】
さらに、弁体がねじ杆に衝合するのを防止する緩衝材、および／または弁体が駆動環に衝合するのを防止する緩衝材を設けたので、弁体がねじ杆に衝合するのを防止し、弁筒が駆動環に衝合するのを防止することにより、ねじ杆と弁体との衝合音、駆動環と弁体との衝合音が発生するのを防止することができるとともに、ねじ杆、駆動環、弁体の寿命を延ばすことができる。
【図面の簡単な説明】
【図１】この発明にかかる逆止制水弁の構成を示す断面図である。
【図２】この発明にかかる逆止制水弁の構成を示す断面図である。
【図３】この発明にかかる逆止制水弁の構成を示す断面図である。
【図４】この発明にかかる逆止制水弁に用いる駆動環の他の例を示す斜視図である。
【図５】この発明の逆止制水弁の第１実施形態を示す断面図である。
【図６】図５に示したねじ杆の先端部分およびコイルスプリングを示す拡大部分である。
【図７】この発明の逆止制水弁の第２実施形態に用いるねじ杆の先端部分およびゴムクッションを示す拡大部分である。
【図８】この発明の逆止制水弁の第３実施形態に用いるねじ杆の先端部分、キャップおよびゴム玉クッションを示す拡大部分である。
【図９】この発明の逆止制水弁の第４実施形態を示す断面図である。
【図１０】この発明の逆止制水弁の第５実施形態を示す断面図である。
【図１１】逆止制水弁を利用した給水システムの概略構成を示す平面図である。
【符号の説明】
ＶＯ1 ，ＶＯ2         逆止制水弁
１                    ハウジング本体
２                    流入口
２ｆ                  フランジ
３，４                流出口
３ｅ，４ｅ            雄ねじ
５                    開口
５ｉ                  雌ねじ
１１                  蓋体
１２，１４            雄ねじ
１３                  貫通孔
２１                  パッキン
３１，３１Ａ〜３１Ｄ  ねじ杆
３２                  ねじ部
３３                  嵌合部
３４                  突出部
３４ｄ                溝
３４ｇ                把持部分
３５Ａ〜３５Ｃ        案内部
３５ａ，３５ｂ        取付凹部
４１                  袋ナット
４２                  止め輪
４３                  パッキン
５１，５１Ａ，５１Ｂ  駆動環
５１ｂ                取付凹部
５２                  衝合ピン
５３                  挿通孔
６１                  ストッパピン
７１，７１Ａ          弁体
７２                  弁パッキン
７３                  弁筒
７３ｆ                フランジ
７３ｒｕ，７３ｒｄ    突条
７３ｅ                雄ねじ
７４                  座金
７５，７５Ａ          キャップ
７５ａ                取付凹部
８１，９１，９４      コイルスプリング
９２                  ゴムクッション
９３                  ゴム玉クッション
９５                  ゴムクッションリング
【図１】
0003587603.tif 000002
【図２】
0003587603.tif 000003
【図３】
0003587603.tif 000004
【図４】
0003587603.tif 000005
【図５】
0003587603.tif 000006
【図６】
0003587603.tif 000007
【図７】
0003587603.tif 000008
【図８】
0003587603.tif 000009
【図９】
0003587603.tif 000010
【図１０】
0003587603.tif 000011
【図１１】
0003587603.tif 000012